(57)【要約】【課題】光源への負荷を抑えるとともに確実に光源を固定できる光源保持ホルダ、レーザ走査光学装置、画像形成装置、及び光源保持方法を提供する。【解決手段】光源保持ホルダ２０において、挿入孔２１に光源１１が挿入された状態で、かしめ治具９０を光源保持ホルダ２０の上方より押圧ピン部９３が押圧ピン穴４１へ挿入されるように下降させる際、押圧ピン部９３の傾斜面９３ａが突起部３１の外壁３４に当接するように構成した。【選択図】図５
2012108328.tif 000002
【特許請求の範囲】
【請求項１】
光源を保持するための光源保持ホルダであって、
前記光源を挿入させる挿入孔と、
前記挿入孔の上端の縁に突設された突起部と、
前記挿入孔の径方向における前記突起部の外側に位置した外壁の根元と連接される傾斜部を有した穴部と、
を備え、
前記挿入孔に光源が挿入された状態で、尖形状の先端部を備えた治具を当該光源保持ホルダの上方より前記先端部が前記穴部へ挿入されるように下降させる際、前記先端部の傾斜面が前記突起部の外壁に当接することを特徴とする光源保持ホルダ。
【請求項２】
請求項１に記載の光源保持ホルダであって、
前記挿入孔は、前記突起部の突設された周方向位置の上端近傍の内壁が、前記光源の周面より空隙を隔てて形成されることを特徴とする光源保持ホルダ。
【請求項３】
請求項１又は２に記載の光源保持ホルダであって、
前記突起部は、前記挿入孔の上端の縁に沿って等間隔に３つ突設されてなることを特徴とする光源保持ホルダ。
【請求項４】
請求項１〜３の何れか１項に記載の光源保持ホルダであって、
前記穴部は、前記挿入孔と同軸のリング形状からなることを特徴とする光源保持ホルダ。
【請求項５】
請求項１〜４の何れか１項に記載の光源保持ホルダであって、
アルミ合金で形成されてなることを特徴とする光源保持ホルダ。
【請求項６】
請求項１〜４の何れか１項に記載の光源保持ホルダであって、
銅合金で形成されてなることを特徴とする光源保持ホルダ。
【請求項７】
半導体レーザ光を出射可能な光源を保持する請求項１〜６の何れか１項に記載の光源保持ホルダと、
前記光源より出射される半導体レーザ光を平行光化する第一の光学系と、
前記第一の光学系により平行光化された半導体レーザ光を副走査方向について収束光に変換する第二の光学系と、
前記第二の光学系により収束光に変換された半導体レーザ光を偏向する偏向器と、
前記偏向器にて偏向された半導体レーザ光を感光体上に集光する第三の光学系と、
を備えることを特徴とするレーザ走査光学装置。
【請求項８】
請求項７に記載のレーザ走査光学装置を備えたことを特徴とする画像形成装置。
【請求項９】
尖形状の先端部を備えた治具で光源を保持するための光源保持ホルダに前記光源を固定する固定方法であって、
前記光源保持ホルダは、前記光源を挿入させる挿入孔と、前記挿入孔の上端の縁に突設された突起部と、前記挿入孔の径方向における前記突起部の外側に位置した外壁の根元と連接される傾斜部を有した穴部と、を有し、
前記光源を前記挿入孔に挿入させるステップと、
前記治具を前記光源保持ホルダの上方より下降させ、前記先端部の傾斜面を前記外壁に当接させて、前記突起部を前記挿入孔に挿入された光源の上面に被さるように屈曲させるステップと、
前記治具を前記外壁と前記傾斜面とが当接する位置よりさらに下降させ、前記先端部を前記穴部に挿入し、前記先端部の傾斜面を前記穴部の傾斜部と当接させるステップと、
前記傾斜面と前記傾斜部とが当接した状態における治具をさらに下降させて、前記治具により押圧される前記傾斜部及び前記突起部が前記光源の周面及び上面を圧着するステップと、
を備えることを特徴とする固定方法。
【発明の詳細な説明】
【技術分野】
【０００１】
本発明は、光源保持ホルダ、レーザ走査光学装置、画像形成装置、及び光源を固定する固定方法に関する。
【背景技術】
【０００２】
従来、レーザプリンタや複写機等の画像形成装置には、光源保持ホルダに保持された光源より出射される半導体レーザを用いて、感光体を走査するためのレーザ走査光学装置が備わる。当該レーザ走査光学装置は、画像形成装置による画像形成処理を高速化又は、高密度化するために、マルチビーム方式における（複数の光源を用いて半導体レーザが感光体を同時に走査する上での）ビーム本数を増加させる、又は、感光体を露光するビーム径を小径化する、等の手法がとられている。
【０００３】
このような手法を行う上で、マルチビーム方式におけるビーム本数を増加させるにつれてビーム相互間の相対位置（ビームピッチ）の位置決めが重要になり、ビーム径を小径化させるにつれてビーム径の変化量の抑制が重要となる。そのため、レーザ走査光学装置では、ビーム相互間の相対位置やビーム径に対する誤差への感度が非常に高い光源を、どのように光源保持ホルダに固定させるかが肝要である。
【０００４】
例えば、光源を固定する手法としては、光源保持ホルダに形成された挿入孔に光源を挿入した状態で、光源を光源保持ホルダにネジ止めする、板ばねにより光源を光源保持ホルダへ押圧する、光源を光源保持ホルダへ圧入する、光源を光源保持ホルダにレーザ溶接する、等がある。
しかしながら、ネジ止めの手法では、締め付けトルクのバラツキが避けられないため、外力による振動等でネジに緩みが生じるおそれがある。また、押圧の手法では、部品点数が増加するにつれて板ばねのばね定数にバラツキが生じることで、押圧力にもバラツキが生じて信頼性が低下するおそれがある。また、圧入の手法では、光源の外周部の寸法公差幅が比較的大きいため、挿入孔の孔径の基準寸法を小さめにする必要があるので、光源保持ホルダの材質として弾性変形し易い樹脂材等の制限をもたらすおそれがある。また、レーザ溶接の手法では、光源を光源保持ホルダに確実に保持することが期待できるが、光源保持ホルダの位置決め等に手間がかかる、溶接設備の設置にコストがかさむ、などのおそれがある。
そのため、上記のような問題点を思慮に入れると、挿入孔に光源を挿入した状態で、光源保持ホルダをかしめて締結する手法が考えられる。
【０００５】
例えば、ポリゴンミラーと、このポリゴンミラーを支持する支持台とを備え、この支持台とポリゴンミラーをかしめ結合で結合したポリゴンミラー支持構造が知られている（特許文献１参照）。
また、フランジ部材の円柱状突起部の突状部をかしめ型を用いて外方かしめ継ぎにより塑性変形させ、ポリゴンミラーをフランジ部材に固定するポリゴンスキャナ駆動装置が知られている（特許文献２参照）。
但し、上記特許文献１及び２記載の発明は、ポリゴンミラーを支持台やフランジ部材に固定する上で支持台やフランジ部をかしめて締結するものであり、光源を保持するために光源保持ホルダをかしめて締結する構成ではない。
【０００６】
また、アノードコモンの光源と、光源を保持する絶縁体と、絶縁体を保持する金属ブラケットと、を有し、光源の外周をかしめにて締結することで光源と絶縁体とを固定し、ブラケットをかしめにて締結することで絶縁体とブラケットとを固定した光源装置が知られている（特許文献３参照）。
【先行技術文献】
【特許文献】
【０００７】
【特許文献１】特開平９−２１９７４号公報
【特許文献２】特開平９−２３０２６８号公報
【特許文献３】特開２００５−３１７９２５号公報
【発明の概要】
【発明が解決しようとする課題】
【０００８】
しかしながら、特許文献３記載の発明では、光源を絶縁体に固定する上で、光源の外周をかしめて締結するため、半導体である光源自体に大きな負荷がかかるという問題があった。さらに、特許文献３記載の発明では、光源の外周をかしめにて締結するため、光源を周方向に精度良く位置決め出来る一方、光軸方向へ抜けが生じるおそれがある。
【０００９】
そこで、本発明の課題は、光源への負荷を抑えるとともに確実に光源を固定できる光源保持ホルダ、レーザ走査光学装置、画像形成装置、及び光源保持方法を提供することである。
【課題を解決するための手段】
【００１０】
以上の課題を解決するため、請求項１に記載の発明は、光源を保持するための光源保持ホルダであって、前記光源を挿入させる挿入孔と、前記挿入孔の上端の縁に突設された突起部と、前記挿入孔の径方向における前記突起部の外側に位置した外壁の根元と連接される傾斜部を有した穴部と、を備え、前記挿入孔に光源が挿入された状態で、尖形状の先端部を備えた治具を当該光源保持ホルダの上方より前記先端部が前記穴部へ挿入されるように下降させる際、前記先端部の傾斜面が前記突起部の外壁に当接することを特徴とする。
【００１１】
請求項７に記載の発明は、レーザ走査光学装置であって、半導体レーザ光を出射可能な光源を保持する請求項１〜６の何れか１項に記載の光源保持ホルダと、前記光源より出射される半導体レーザ光を平行光化する第一の光学系と、前記第一の光学系により平行光化された半導体レーザ光を副走査方向について収束光に変換する第二の光学系と、前記第二の光学系により収束光に変換された半導体レーザ光を偏向する偏向器と、前記偏向器にて偏向された半導体レーザ光を感光体上に集光する第三の光学系と、を備えることを特徴とする。
【００１２】
請求項８に記載の発明は、画像形成装置であって、請求項７に記載のレーザ走査光学装置を備えたことを特徴とする。
【００１３】
請求項９に記載の発明は、尖形状の先端部を備えた治具で光源を保持するための光源保持ホルダに前記光源を固定する固定方法であって、前記光源保持ホルダは、前記光源を挿入させる挿入孔と、前記挿入孔の上端の縁に突設された突起部と、前記挿入孔の径方向における前記突起部の外側に位置した外壁の根元と連接される傾斜部を有した穴部と、を有し、前記光源を前記挿入孔に挿入させるステップと、前記治具を前記光源保持ホルダの上方より下降させ、前記先端部の傾斜面を前記外壁に当接させて、前記突起部を前記挿入孔に挿入された光源の上面に被さるように屈曲させるステップと、前記治具を前記外壁と前記傾斜面とが当接する位置よりさらに下降させ、前記先端部を前記穴部に挿入し、前記先端部の傾斜面を前記穴部の傾斜部と当接させるステップと、前記傾斜面と前記傾斜部とが当接した状態における治具をさらに下降させて、前記治具により押圧される前記傾斜部及び前記突起部が前記光源の周面及び上面を圧着するステップと、を備えることを特徴とする。
【発明の効果】
【００１４】
したがって、本発明は、光源への負荷を抑えるとともに確実に光源を固定できる光源保持ホルダ、レーザ走査光学装置、画像形成装置、及び光源保持方法を提供できる。
【図面の簡単な説明】
【００１５】
【図１】本発明の実施形態１に係る画像形成装置の概略構成を示す図である。
【図２】図１に示す画像形成装置に備わるレーザ走査光学装置の概略構成を示す図である。
【図３】図２のレーザ走査光学装置に備わる光源保持ホルダ及び光源の構造を模式的に表し、光源保持ホルダに光源を固定する前の状態を例示した図である。
【図４】図２のレーザ走査光学装置に備わる光源保持ホルダ及び光源の構造を模式的に表し、光源保持ホルダに光源を固定した後の状態を例示した図である。
【図５】押圧ピン部の傾斜面が突起部に当接するまでかしめ治具を下降させた状態の、図３のＶ-Ｖ断面図である。
【図６】図５に示すＡ部の拡大図である。
【図７】図５に示す光源保持ホルダの突起部が屈曲して、フランジ部の上面に被さった状態を例示する図である。
【図８】図７に示すＢ部の拡大図である。
【図９】本発明の実施形態１に係る光源保持ホルダに光源を固定する固定方法を説明するためのフローチャートである。
【図１０】本発明の実施形態２に係る光源保持ホルダ及び光源の断面図である。
【図１１】図１０に示す光源保持ホルダの突起部が屈曲して、フランジ部の上面に被さった状態を例示する図である。
【図１２】図１１に示すＣ部の拡大図である。
【図１３】本発明の実施形態３に係る光源保持ホルダ及び光源の構造を模式的に表した図である。
【図１４】図１３のＸＩＶ-ＸＩＶ断面図である。
【発明を実施するための形態】
【００１６】
以下、実施形態１に係る画像形成装置について、図１〜図９を参照して説明する。
【００１７】
本実施形態に係る画像形成装置１０００は、例えば、複写機やプリンタ等として用いられ、図１に示すように、シアン色、マゼンタ色、イエロー色、ブラック色の各色ごとに設けられた複数のレーザ走査光学装置１と、レーザ走査光学装置１に応じて設けられた感光体ドラム等の感光体２００と、中間転写ベルト３００と、転写ローラ４００と、定着部５００と、等を備えて構成される。
【００１８】
当該画像形成装置１０００は、レーザ走査光学装置１より照射されるレーザ光によって感光された感光体２００でトナー像を形成して、中間転写ベルト３００上に当該トナー像を転写させる。さらに、画像形成装置１０００は、中間転写ベルト３００に転写されたトナー像を転写ローラ４００によって用紙Ｐに押圧して転写させ、定着部６によって当該用紙Ｐを加熱及び加圧することで、トナー像を用紙Ｐ上に定着する。そして、画像形成装置１０００は、当該用紙Ｐを排紙ローラ（図示省略）等により搬送してトレイ（図示省略）に排紙することで画像形成処理を行う。
【００１９】
ここで、レーザ走査光学装置１は、図２に示すように、感光体２００へ向けて出射したレーザ光Ｌで感光体２００を感光するための光学ハウジング２で構成される。当該レーザ走査光学装置１は、複数のレーザ光Ｌを感光体２００に同時に照射して、複数の走査ラインを同時に走査するマルチビーム方式が用いられる。
【００２０】
光学ハウジング２は、内部に、レーザ光Ｌを出射させる光源部１０と、光源部１０より出射されたレーザ光Ｌを平行光化させる第一の光学系１００と、第一の光学系１００を透過したレーザ光Ｌの副走査方向成分のみを収束させる第二の光学系１１０と、第二の光学系１１０を透過したレーザ光Ｌを偏向させる偏向器１２０と、偏向器１２０により偏向されたレーザ光Ｌを集光させる第三の光学系１３０と、偏向器１２０により偏向されたレーザ光Ｌの一部を集光させる第四の光学系１４０と、第四の光学系１４０を透過したレーザ光Ｌを入力するセンサ１５０と、を備える。
【００２１】
光源部１０は、直線状に配置された複数の光源１１と、各々の光源１１を保持する光源保持ホルダ２０と、を含んで構成される。
光源１１は、レーザ光Ｌを出射させる半導体レーザである。当該光源１１は、銅合金等で形成される。
光源保持ホルダ２０は、光源１１を保持するためのホルダであり、装着された光源１１をかしめて固定する。当該光源保持ホルダ２０は、比較的安価で且つ放熱性に優れたアルミ合金で形成される。
ここで、光源保持ホルダ２０が光源１１を固定する構成・方法については後述する。
【００２２】
第一の光学系１００は、コリメータレンズなどを含んで構成され、光源部１０より出射されたレーザ光を平行光化する。
第二の光学系１１０は、スリットやシリンドリカルレンズを含んで構成される。そして、第二の光学系１１０は、スリットにより、感光体２００上でビームスポットが整形されるように、第一の光学系１００により平行光化されたレーザ光Ｌの透過量を制限する。また、第二の光学系１１０は、シリンドリカルレンズにより、第一の光学系１００により平行光化されたレーザ光Ｌの副走査方向成分のみを収束させる。
【００２３】
偏向器１２０は、側面が鏡面からなる多角柱形状をしたポリゴンミラーと、ポリゴンミラーに回動力を付与して当該ポリゴンミラーを回動させるモータを含む。偏向器１２０は、第二の光学系１１０を透過したレーザ光Ｌを回転に応じた向きに偏向させる。そして、偏向器１２０は、当該偏向させたレーザ光Ｌを第三の光学系１３０を介して感光体２００の周面に照射する。この際、偏向器１２０は、回転位置に応じて感光体２００の長手方向の異なる位置にレーザ光Ｌを照射するため、主走査方向（図２における感光体２００の長手方向）へのレーザ光Ｌの走査を可能にする。
【００２４】
第三の光学系１３０は、偏向器１２０で偏向されたレーザ光Ｌを感光体２００表面に結像させる。
【００２５】
第四の光学系１４０は、シリンドリカルレンズなどを含んで構成される。そして、第四の光学系１４０は、偏向器１２０により偏向されたレーザ光Ｌの一部を集光して、当該集光したレーザ光Ｌをセンサ１５０に入射させる。
センサ１５０は、第四の光学系１４０により集光されたレーザ光Ｌを検出する光センサである。そして、レーザ走査光学装置１を備えた画像形成装置１０００の制御部（図示省略）は、当該センサ１５０より検出される検出信号に基づいて、感光体２００への書き出し位置のタイミング調整などを行う。
【００２６】
（光源保持ホルダが光源を固定する構成）
次に、図３〜図８を用いて、光源保持ホルダ２０が光源１１を保持する構造を説明する。なお、以下の説明では、図３に示す略円筒形状からなる光源保持ホルダ２０の軸方向をＺ軸方向とする。また、光源保持ホルダ２０において、かしめ治具９０と対峙する方向を上側、上側と反対方向を下側とする。また、光源保持ホルダ２０の径方向について、拡径する方向を外側、縮径する方向を内側、とする。
【００２７】
光源保持ホルダ２０は、図３及び図４に示すように、光源１１を挿入した状態で、上端部に形成された３つの突起部３１〜３３を、かしめ治具９０が光源１１の上面に被さるように屈曲させて（塑性変形させることで）、光源１１を締結（固定）する。
【００２８】
ここで、かしめ治具９０は円筒形状からなり、先端に３つの押圧ピン部９３〜９５を備える。当該押圧ピン部９３〜９５は、傾斜面９３ａ〜９５ａを有する尖形状からなり周方向に等間隔に備わる。
また、光源１１は、図３及び図５に示すように、円柱形状をなす本体部１２と、本体部１２の上部に設けられ当該本体部１２より大きな径からなる円柱形状のフランジ部１３と、フランジ部１３の上面に形成された端子１４と、で構成される。
【００２９】
光源保持ホルダ２０は、円柱の中心に光源１１を挿入させるための挿入孔２１がＺ軸方向に沿って形成された略円筒形状からなる。そして、挿入孔２１には、フランジ部１３より僅かに大きな径からなり、フランジ部１３を嵌合させる環状の嵌合溝２２が形成される。ここで、図６に示すように、当該フランジ部１３を嵌合溝２２に嵌合させた際に形成される隙間を、隙間Ｓとする。
【００３０】
さらに、光源保持ホルダ２０は、挿入孔２１の上端の縁に沿って設けられた３つの突起部３１〜３３と、当該突起部３１〜３３各々の外側に設けられた押圧ピン穴４１〜４３と、を備える。
【００３１】
突起部３１〜３３は、挿入孔２１の縁に沿って等間隔に３つ突設され、上方へ向けて突起した形状からなる。当該突起部３１〜３３は、静定性を考慮して（各突起部３１〜３３にかしめ治具９０による押圧力を均等に作用させるため）、３つに設定される。ここで、突起部３１〜３３の外側における壁面を外壁３４〜３６とする。
当該突起部３１（〜３３）は、図６に示すように、押圧ピン部９３（〜９５）が押圧ピン穴４１（〜４３）へ挿入されるように、かしめ治具９０を光源保持ホルダ２０の上方よりＺ軸方向に沿って下降させた際、外壁３４（〜３６）が押圧ピン部９３（〜９５）の傾斜面９３ａ（〜９５ａ）に当接する位置に設けられる。そのため、外壁３４（〜３６）と傾斜面９３ａ（〜９５ａ）とが当接した状態で、かしめ治具９０を下降させて押圧ピン部９３（〜９５）が下向きの押圧力Ｐを光源保持ホルダ２０に及ぼすと、突起部３１（〜３３）は、傾斜面９３ａ（〜９５ａ）の傾斜方向と直交する向きに力Ｐ１が付与される。そのため、突起部３１（〜３３）は、押圧ピン部９３（〜９５）が下降するにつれて、光源１１の上面に被さるように、図６に示すＷ１の方向へ屈曲する（塑性変形する）。
【００３２】
押圧ピン穴４１〜４３は、かしめ治具９０の押圧ピン部９３〜９５が挿入可能なように、各々の突起部３１〜３３の外側に形成された凹状の穴である。当該押圧ピン穴４１（〜４３）は、図５に示すように、断面視で傾斜部４４（〜４６）を備えた略台形状を呈する。そして、傾斜部４４（〜４６）は、図６に示すように、突起部３１（〜３３）の外壁３４（〜３６）の根元と連接されており、Ｚ軸方向に対する傾斜角が傾斜面９３ａ（〜９５ａ）と略等しい。ここで、図６に示すとおり、傾斜部４４（〜４６）のＺ軸方向に対する傾斜角をθとする。
【００３３】
そのため、図７及び図８に示すように、かしめ治具９０が図６に示す状態からさらに下降すると、傾斜面９３ａ（〜９５ａ）は、押圧ピン穴４１（〜４３）の傾斜部４４（〜４６）と当接する。そして、当該当接した状態に至ると、突起部３１（〜３３）は、完全にフランジ部１３の上面に被さった状態まで屈曲（塑性変形）する。なお、図８に示す破線は、傾斜面９３ａ（〜９５ａ）全体が押圧ピン穴４１（〜４３）の傾斜部４４（〜４６）と当接する位置を表す。
ここで、当該当接した状態にあるかしめ治具９０を図８に示す実線の位置までさらに下降させると、かしめ治具９０が傾斜部４４（〜４６）及び突起部３１（〜３３）を押圧する。そのため、かしめ治具９０より押圧力を受ける突起部３１（〜３３）によって、フランジ部１３は下向きの力Ｐ２で上面が圧着される。また、かしめ治具９０（押圧ピン部９３（〜９５））から押圧力を受ける傾斜部４４（〜４６）によって、フランジ部１３は内側向きの力Ｐ３で周面が圧着される。その結果、隙間Ｓの幅は、かしめ治具９０より押圧力Ｐが付与される前に比べて狭まり、フランジ部１３と嵌合溝２２とが密着した状態になる。
つまり、光源保持ホルダ２０は、光源１１を抱え込むように圧着した状態で強固に固定する。
なお、傾斜部４４（〜４６）のＺ軸方向に対する傾斜角θは、４５度以下であることが好ましい。つまり、傾斜角θを４５度以下に設定することで、下向きの力Ｐ２や内側向きの力Ｐ３をフランジ部１３へ有効に伝達することができるので、隙間Ｓを一層狭めることが可能となる。
また、図６では傾斜面９３ａ（〜９５ａ）の傾斜角と傾斜部４４（〜４６）の傾斜角θが略等しい場合を例示したが、傾斜面９３ａ（〜９５ａ）と傾斜部４４（〜４６）とが当接可能で、傾斜部４４（〜４６）が内側向きの力をフランジ部１３に作用する構成であれば、各々の傾斜角は相違していてもよい。
【００３４】
（固定方法）
次に、図９のフローチャートを用いて、かしめ治具９０で光源保持ホルダ２０に光源１１を固定する固定方法について説明する。
【００３５】
まず、光源１１を光源保持ホルダ２０の挿入孔２１に挿入する（ステップＳ１１）。
【００３６】
次いで、押圧ピン部９３〜９５と突起部３１〜３３との周方向位置をあわせて、かしめ治具９０を光源保持ホルダ２０の上方より下降させる（ステップＳ１２）。
【００３７】
次いで、押圧ピン部９３〜９５の傾斜面９３ａ〜９５ａを突起部３１〜３３の外壁３４〜３６に当接させて、突起部３１〜３３を光源１１の上面に被さるように屈曲させる（ステップＳ１３）。
【００３８】
次いで、かしめ治具９０を突起部３１〜３３の外壁３４〜３６と押圧ピン部９３〜９５の傾斜面９３ａ〜９５ａとが当接する位置よりさらに下降させ、押圧ピン部９３〜９５を押圧ピン穴４１〜４３に挿入し、押圧ピン部９３〜９５の傾斜面９３ａ〜９５ａを押圧ピン穴４１〜４３の傾斜部４４〜４６と当接させる（ステップＳ１４）。
【００３９】
次いで、傾斜面９３ａ〜９５ａと傾斜部４４〜４６とが当接した状態におけるかしめ治具９０をさらに下降させて、かしめ治具９０により押圧される傾斜部４４〜４６及び突起部３１〜３３が光源１１の周面及び上面を圧着する（ステップＳ１５）。
【００４０】
以上により、本実施形態に係る画像形成装置１０００に備わるレーザ走査光学装置１の光源保持ホルダ２０によると、挿入孔２１に光源１１が挿入された状態で、かしめ治具９０を光源保持ホルダ２０の上方より押圧ピン部９３〜９５が押圧ピン穴４１〜４３へ挿入されるように下降させる際、押圧ピン部９３〜９５の傾斜面９３ａ〜９５ａが突起部３１〜３３の外壁３４〜３６に当接する。
つまり、傾斜面９３ａ〜９５ａが外壁３４〜３６に当接する際、突起部３１〜３３は、かしめ治具９０より付与される傾斜面９３ａ〜９５ａに直交した方向の押圧力によって、挿入孔２１に挿入された光源１１の上面に向けて屈曲する。さらに、押圧ピン部９３〜９５が押圧ピン穴４１〜４３へ挿入されると、傾斜面９３ａ〜９５ａと傾斜部４４〜４６とが当接する。そのため、光源１１の上面に被さるように屈曲した突起部３１〜３３は、かしめ治具９０より受ける押圧力によって光源１１の上面を圧着する。また、傾斜面９３ａ〜９５ａと当接した傾斜部４４〜４６は、かしめ治具９０から受ける押圧力によって光源１１の周面を圧着する。
その結果、光源保持ホルダ２０は、光源１１を抱え込むように圧着した状態で強固に固定する。また、この際、光源１１自体を屈曲させて（塑性変形させて）いないので、光源１１へ作用する負荷を抑えられる。
したがって、光源保持ホルダ２０（レーザ走査光学装置１、画像形成装置１０００、光源保持ホルダ２０に光源１１を固定する固定方法）は、光源１１への負荷を抑えるとともに確実に光源１１を固定できるといえる。
【００４１】
また、突起部３１〜３３は、挿入孔２１の上端の縁に沿って等間隔に３つ突設されている。つまり、例えば、突起部を４つ突設したような場合、不静定となって何れかの突起部にかしめ治具９０による押圧力が十分に作用しないおそれがある。一方、光源保持ホルダ２０のように突起部を３つ突設することで静定となり、各突起部にかしめ治具９０による押圧力を均等に作用させることができるので、安定した状態で光源保持ホルダ２０に光源１１を固定できる。
【００４２】
また、光源保持ホルダ２０は、比較的安価で且つ放熱性に優れたアルミ合金で形成される。そのため、光源保持ホルダ２０は、製造コストが抑えられる等の利点がある。
【００４３】
「変形例１」
実施形態１において、光源保持ホルダ２０は、アルミ合金で形成されることとしたが、銅合金で形成されることとしてもよい。この場合、光源保持ホルダ２０と光源１１の周辺温度が上昇した際、光源保持ホルダ２０は、光源１１と同一の材料で形成されることとなるため、光源１１と同じ膨張率で膨張する。つまり、光源保持ホルダ２０は、光源保持ホルダ２０と光源１１とを取り巻く環境の変化に対して、より安定した状態で光源１１を保持することが可能となる。
【００４４】
「実施形態２」
次いで、実施形態２に係る光源保持ホルダ２０ａについて説明する。なお、以下の光源保持ホルダ２０ａについて、実施形態１に係る光源保持ホルダ２０と同一の構成については同一の符号を付して説明を省略し、相違点のみを説明する。
【００４５】
実施形態１に係る光源保持ホルダ２０では、図６に示すように、フランジ部１３を嵌合溝２２に嵌合させた際、Ｚ軸方向に沿って一律に隙間Ｓが形成されていた。
しかしながら、図１０に示す光源保持ホルダ２０ａのように、突起部３１〜３３の設けられる周方向位置の上端近傍については、嵌合溝２２よりも拡径された拡径溝２２ａを設け、光源１１の外周面より隙間Ｓａの空隙を隔てて挿入孔２１の内壁を形成する構成としてもよい。
【００４６】
この場合、図８の破線で示したように、傾斜面９３ａ（〜９５ａ）が押圧ピン穴４１（〜４３）の傾斜部４４（〜４６）と当接するまで押圧ピン部９３（〜９５）が下降すると、突起部３１（〜３３）は、フランジ部１３の上面に被さるように屈曲する。そして、この状態で、図１１及び図１２に示すように、光源保持ホルダ２０ａが押圧ピン部９３（〜９５）から下向きの押圧力を受けると、突起部３１（〜３３）が下向きの押圧力Ｐ２で、傾斜部４４が内側向きの力Ｐ３で、フランジ部１３を圧着する。すると、突起部３１及び傾斜部４４の塑性変形により、フランジ部１３と嵌合溝２２とが密着するとともに、光源保持ホルダ２０ａ（突起部３１〜３３及び傾斜部４４〜４６）の一部が隙間Ｓａにめり込んで隙間Ｓａを塞ぐので、光源保持ホルダ２０ａは光源１１を上面及び外周面から着実に圧接できる。
【００４７】
以上、本実施形態２に係る光源保持ホルダ２０ａによると、光源保持ホルダ２０と同様の効果が得られることは勿論、光源保持ホルダ２０ａの一部が隙間Ｓａを塞ぐので、光源保持ホルダ２０よりも光源保持ホルダ２０ａと光源１１とが密着した状態が形成される。
つまり、光源保持ホルダ２０ａは、光源保持ホルダ２０よりも光源１１を上面及び外周面から一層着実に圧接して保持できる。
【００４８】
「実施形態３」
次いで、実施形態３に係る光源保持ホルダ２０ｂについて説明する。実施形態１に係る光源保持ホルダ２０において、押圧ピン穴４１〜４３は突起部３１〜３３各々の外側に設けたが、図１３及び図１４に示す光源保持ホルダ２０ｂのように、下端に環状の押圧ピン部９３ｂを設けたかしめ治具９０ｂを用いて、突起部３１〜３３の外側一様に挿入孔２１と同軸のリング形状を呈する押圧ピン穴４１ｂを設けてもよい。以下、当該実施形態３に係る光源保持ホルダ２０ｂの構成を述べる。なお、以下の光源保持ホルダ２０ｂについて、実施形態１に係る光源保持ホルダ２０と同一の構成については同一の符号を付して説明を省略し、相違点のみを説明する。
【００４９】
光源保持ホルダ２０ｂは、嵌合溝２２の上端に沿って設けられた３つの突起部３１〜３３と、当該突起部３１〜３３の外側に設けられた押圧ピン穴４１ｂを備える。
押圧ピン穴４１ｂは、押圧ピン部９３ｂを挿入可能な凹状のくぼみが、光源保持ホルダ２０の上面に亘ってリング状に形成された穴である。当該押圧ピン穴４１ｂは、図１３に示すように、断面視で傾斜部４４ｂを備えた台形状を呈する。
そのため、かしめ治具９０ｂを光源保持ホルダ２０ｂに向けて下降させる際、押圧ピン部９３ｂと押圧ピン穴４１ｂとのＺ軸回りの位相関係を考慮せずに、かしめ治具９０ｂを光源保持ホルダ２０ｂに押し付けることが可能となる。
【００５０】
以上、本実施形態３に係る光源保持ホルダ２０ｂによると、光源保持ホルダ２０と同様の効果が得られることは勿論、かしめ治具９０ｂを光源保持ホルダ２０ｂに向けて下降させる際、押圧ピン部９３ｂと押圧ピン穴４１ｂとのＺ軸回りの位相関係を考慮しなくて良いため、迅速に光源１１を光源保持ホルダ２０ｂに固定させることが可能となる。
【００５１】
なお、以上の実施形態における記述は、本発明に係る好適な光源保持ホルダ、レーザ走査光学装置、画像形成装置の一例であり、これに限定されるものではない。
また、以上の実施形態における光源保持ホルダ、レーザ走査光学装置、画像形成装置を構成する各部の細部構成及び細部動作に関して本発明の趣旨を逸脱することのない範囲で適宜変更可能である。
【符号の説明】
【００５２】
１０００            画像形成装置
１                  レーザ走査光学装置
２                  光学ハウジング
１０                光源部
１１                光源
１２                本体部
１３                フランジ部
１４                端子
２０                光源保持ホルダ
２１                挿入孔
２２                嵌合溝
３１〜３３          突起部
３４〜３６          外壁
４１〜４３          押圧ピン穴（穴部）
４４〜４６          傾斜部
９０                かしめ治具
９３〜９５          押圧ピン部（先端部）
９３ａ〜９５ａ      傾斜面
１００              第一の光学系
１１０              第二の光学系
１２０              偏向器
１３０              第三の光学系
１４０              第四の光学系
１５０              センサ
２００              感光体
２０ａ              光源保持ホルダ
２２ａ              拡径溝
Ｓａ                隙間（空隙）
２０ｂ              光源保持ホルダ
４１ｂ              押圧ピン穴
４４ｂ              傾斜部
９０ｂ              かしめ治具
９３ｂ              押圧ピン部
【図１】
2012108328.tif 000003
【図２】
2012108328.tif 000004
【図３】
2012108328.tif 000005
【図４】
2012108328.tif 000006
【図５】
2012108328.tif 000007
【図６】
2012108328.tif 000008
【図７】
2012108328.tif 000009
【図８】
2012108328.tif 000010
【図９】
2012108328.tif 000011
【図１０】
2012108328.tif 000012
【図１１】
2012108328.tif 000013
【図１２】
2012108328.tif 000014
【図１３】
2012108328.tif 000015
【図１４】
2012108328.tif 000016